(57)【特許請求の範囲】
【請求項１】
基材に、所定の面積を有するユニットが複数配置され、
前記ユニットは、第１の方向に沿って潜像領域と可視画像領域とが交互に少なくとも二組配置され、
各々の前記ユニットの少なくとも二つの前記潜像領域の一方は、第１の画線領域と第４の画線領域を有し、
他方の前記潜像領域は、第２の画線領域と前記第４の画線領域を有し、
前記可視画像領域は、前記ユニットの長手方向に対する一方の端部から他方の端部にわたって配置された第３の画線領域を有し、
各々の前記ユニット内において、前記第１の画線領域及び前記第２の画像領域をオン、オフの関係として、画線がいずれか一方に形成された場合、他方には形成されないものとし、又は前記第１の画線領域及び前記第２の画線領域のいずれにも画線を形成しないものとして、
前記第１の画線領域及び前記第２の画線領域は面積が同一であり、
前記第１の画線領域に形成される第１の画線により第１の不可視画像のポジ画像又はネガ画像のいずれか一方が形成され、前記第２の画線領域に形成される第２の画線により前記第１の不可視画像のネガ画像又はポジ画像の他方が形成され、
前記第１の方向に沿って隣接する２つ又は３つの前記ユニット間において、近接する前記ユニットに配置された前記第１の画線及び／又は前記第２の画線までの距離が所定の距離以上に離れて前記第１の画線及び／又は前記第２の画線が配置された場合に、近接する前記第１の画線及び／又は前記第２の画線との間に挟まれた前記第１の画線領域に隣接した前記第４の画線領域又は前記第２の画線領域に隣接する前記第４の画線領域に、前記第１の画線及び前記第２の画線における半分の画線面積で、かつ、同色である第４の画線が形成され、
前記第３の画線領域内に第３の画線が形成されることで可視画像が形成されたことを特徴とする偽造防止用印刷物。
【請求項２】
前記所定の距離は、前記第１の方向に沿って隣接する２つの前記ユニットに配置された一方の前記第１の画線領域から他方の前記第１の画線領域までの距離であることを特徴とする請求項１記載の偽造防止用印刷物。
【請求項３】
前記第３の画線は、画線の大小、画線の濃淡及び画線の疎密から選択される少なくとも一つの方法によって連続階調から成る可視画像が形成されたことを特徴とする請求項１又は２記載の偽造防止用印刷物。
【請求項４】
前記第３の画線は、少なくとも二色以上の画線を含むことを特徴とする請求項１乃至３のいずれか一項記載の偽造防止用印刷物。
【請求項５】
前記ユニットにおける一辺の長さが１ｍｍ以下であることを特徴とする請求項１乃至４のいずれか一項記載の偽造防止用印刷物。
【請求項６】
前記第１の画線、前記第２の画線、前記第３の画線及び前記第４の画線は、光輝性材料を含むインキで印刷され、
前記第１の画線、前記第２の画線、前記第３の画線及び前記第４の画線の少なくとも一部の画線上に、無色透明材料を用いてベタ刷りにより所望の模様を形成することを特徴とする請求項１乃至５のいずれか一項記載の偽造防止用印刷物。
【請求項７】
基材に、所定の面積を有するユニットが複数配置され、
前記ユニットは、第１の方向に沿って潜像領域と可視画像領域とが交互に少なくとも四組配置され、
各々の前記ユニット内の少なくとも四つの前記潜像領域は、第１の不可視画像を形成する少なくとも二つの前記潜像領域で形成された第１の潜像領域と、第２の不可視画像を形成する少なくとも二つの前記潜像領域で形成された第２の潜像領域を有し、
前記第１の潜像領域の少なくとも二つの前記潜像領域における一方は、第１の画線領域及び第４の画線領域を有し、他方は、第２の画線領域及び前記第４の画線領域を有し、
前記第２の潜像領域の少なくとも二つの前記潜像領域における一方は、第５の画線領域と第７の画線領域を有し、他方は、第６の画線領域と前記第７の画線領域を有し、
前記可視画像領域は、前記ユニットの長手方向に対する一方の端部から他方の端部にわたって配置された第３の画線領域を有し、
各々の前記ユニット内において、前記第１の画線領域及び前記第２の画像領域をオン、オフの関係として、画線がいずれか一方に形成された場合、他方には形成されないものとし、又は前記第１の画線領域及び前記第２の画線領域のいずれにも画線を形成しないものとして、
各々の前記ユニット内において、前記第５の画線領域及び前記第６の画像領域をオン、オフの関係として、画線がいずれか一方に形成された場合、他方には形成されないものとし、又は前記第５の画線領域及び前記第６の画線領域のいずれにも画線を形成しないものとして、
前記第１の画線領域及び前記第２の画線領域は面積が同一であり、
前記第５の画線領域及び前記第６の画線領域は面積が同一であり、
前記第１の画線領域に形成された第１の画線により前記第１の不可視画像のポジ画像又はネガ画像のいずれか一方が形成され、前記第２の画線領域に形成された第２の画線により前記第１の不可視画像のネガ画像又はポジ画像の他方が形成され、
前記第５の画線領域に形成された第５の画線により前記第２の不可視画像のポジ画像又はネガ画像のいずれか一方が形成され、前記第６の画線領域に形成された第６の画線により前記第２の不可視画像のネガ画像又はポジ画像の他方が形成され、
前記第１の方向に沿って隣接する２つ又は３つの前記ユニット間において、近接する前記ユニットに配置された前記第１の画線及び／又は前記第２の画線までの距離が所定の距離以上に離れて前記第１の画線及び／又は前記第２の画線が配置された場合に、近接する前記第１の画線及び／又は前記第２の画線との間に挟まれた前記第１の画線領域に隣接した前記第４の画線領域又は前記第２の画線領域に隣接する前記第４の画線領域に、前記第１の画線及び前記第２の画線における半分の画線面積で、かつ、同色である第４の画線が形成され、
前記第１の方向に沿って隣接する２つ又は３つの前記ユニット間において、近接する前記ユニットに配置された前記第５の画線及び／又は前記第６の画線までの距離が所定の距離以上に離れて前記第５の画線及び／又は前記第６の画線が配置された場合に、近接する前記第５の画線及び／又は前記第６の画線との間に挟まれた前記第５の画線領域に隣接した前記第７の画線領域又は前記第６の画線領域に隣接する前記第７の画線領域に、前記第５の画線及び前記第６の画線における半分の画線面積で、かつ、同色である第７の画線が形成され、
前記第３の画線領域内に第３の画線が形成されることで可視画像が形成されたことを特徴とする偽造防止用印刷物。
【請求項８】
前記所定の距離は、前記第１の方向に沿って隣接する２つの前記ユニットに配置された一方の前記第１の画線領域から他方の前記第１の画線領域までの距離であることを特徴とする請求項７記載の偽造防止用印刷物。
【請求項９】
前記第３の画線は、画線の大小、画線の濃淡及び画線の疎密から選択される少なくとも一つの方法によって連続階調から成る可視画像が形成されたことを特徴とする請求項７又は８記載の偽造防止用印刷物。
【請求項１０】
前記第３の画線は、少なくとも二色以上の画線を含むことを特徴とする請求項７乃至９のいずれか一項記載の偽造防止用印刷物。
【請求項１１】
前記ユニットにおける一辺の長さが１ｍｍ以下であることを特徴とする請求項７乃至１０のいずれか一項記載の偽造防止用印刷物。
【請求項１２】
前記第１の画線、前記第２の画線、前記第３の画線、前記第４の画線、前記第５の画線、前記第６の画線及び前記第７の画線は、光輝性材料を含むインキで印刷され、
前記第１の画線、前記第２の画線、前記第３の画線、前記第４の画線、前記第５の画線、前記第６の画線及び前記第７の画線の少なくとも一部の画線上に、無色透明材料を用いてベタ刷りにより所望の模様を形成することを特徴とする請求項７乃至１１のいずれか一項記載の偽造防止用印刷物。
【請求項１３】
前記第１の画線、前記第２の画線及び前記第４の画線と、前記第５の画線、前記第６の画線及び前記第７の画線とは、色相が異なることを特徴とする請求項７乃至１２のいずれか一項記載の偽造防止用印刷物。
【発明の詳細な説明】
【技術分野】
【０００１】
本発明は、銀行券、株券、債券等の有価証券、各種証明書及び重要書類等の偽造防止又は複製防止が必要とされる印刷物に関するものである。
【背景技術】
【０００２】
一般的に証明書類の貴重印刷物では、偽造防止効果を与えるために様々な技術が適用されているが、近年、カラー複写機の高画質化及びカラー製版技術のコンピュータ化に伴い、証明書類の偽造技術が多様化する傾向にある。これに伴って、証明書類の偽造防止策も高度化することによって対応してきた。しかし、その一方で、偽造防止策に費やす製造コストが高く、偽造防止効果を確認する環境を得るために、特殊な機械器具から成る専用設備を導入する等、真偽判定において高コストとなる場合があった。
【０００３】
低コストで真偽判定を可能にする有用な方法に、印刷物上に判別具を重ねて真偽判定を行う技術がある。つまり、不可視画像が施されている印刷物に判別具を重ねることによって、不可視画像を可視画像として発現させるもので、この判別具の主な形態は、平行線スクリーンを印刷した透明シート（以下「万線フィルタ」という。）や、レンチキュラーレンズ等が挙げられる。この判別具を用いて不可視画像を発現させる技術は、主に二種類の方法があり、点位相変調（Dot phase modulation）と線位相変調（Line phase modulation）とが存在する。
【０００４】
このような万線フィルタから成る判別具を重ね合わせることにより潜像画像が発現する印刷物とその真偽判別方法としては、万線（又は網点）画線で印刷した背景画像部と、背景画像部と異なる位相の万線（又は網点）画線で印刷した潜像画像部とを有する印刷物が存在する。当該印刷物の背景画像部と潜像画像部は、区分けして視認することが一見困難であるが、万線フィルタを印刷物に所定の位置で重ね合わせた場合には、背景画像部と潜像画像部を区分けして視認することができる方法が知られている。
【０００５】
点位相変調（Dot phase modulation）の一例としては、第１の方向と第２の方向に位相変調されたパターンが形成された印刷物と、当該印刷物の第１の方向と万線状フィルタの万線状パターンの方向とを一致するように万線状フィルタを重ね合わせることにより形成される第１の多階調画像と、万線状フィルタの重ね合わせる角度を印刷物の第２の方向に一致するように変えると第２の多階調画像が形成された印刷物及び画像形成法がある（例えば、特許文献１参照）。
【０００６】
また、点位相変調（Dot phase modulation）の一例としては、基材上に、レンズアレイ（ハエの目レンズ、ハニカムレンズ、レンチキュラーレンズ等）を重ねることにより画像が現れるドットパターンを構成するそれぞれのドットが、少なくとも二種類以上のスクリーン線数で、かつ、少なくとも二種類以上のスクリーン角度の網点から成る印刷物において、真正物であればドットパターンを構成するそれぞれのドットの網点面積率が同じであるため、レンズアレイを重ねることにより不可視画像が発現し、複写物の場合は、コピーすることによりスクリーン線数の大きさ又は網点角度で再現されるドットが潰れ、ドットの濃度が変化することにより不可視画像と異なる画像が発現する印刷物がある（例えば、特許文献２参照）。
【０００７】
また、海外の点位相変調（Dot phase modulation）の一例としては、アストロン・デザイン社（オランダ）のイソグラム（Isogram）がある（例えば、非特許文献１３４０頁参照）。これは、図２８（ａ）に示された印刷物のように、一見して均一な濃度を有する平たんな模様の中に、拡大すると図２８（ｂ）に示されたような微細な網点の位相によって不可視画像が施され、印刷物上に専用のシートを重ねると、図２８（ｃ）又は図２８（ｄ）に示されるようにネガポジ状のどちらかに可視画像化されたものである。しかし、これは、均一な濃度を有する平たんな模様ゆえに、鮮明に画像を発現させることができない。
【０００８】
また、本願出願人等は、点位相変調（Dot phase modulation）を用いた印刷物に関する特許出願を行っている。これは、基材上に複数の等色の画素が規則的に配列されて二つの潜像模様が形成された潜像印刷物であって、複数の画素において、第１の方向に位相をずらして配列された第１の領域による第１の潜像模様（不可視画像）と、機能性を有するインキにより印刷された第２の領域による第２の潜像模様（不可視画像）とを有するものである（例えば、特許文献３参照）。
【０００９】
線位相変調（Line phase modulation）の一例としては、基材上に、線部と非線部を有し、同一ピッチ及び幅から成る万線パターンに対し、万線位相を１／２ピッチずらして形成された潜像部を備えている複数種の潜像万線パターンが、それぞれ異なる角度で重ね合わせて印刷された潜像を有する印刷物であって、複数種の潜像万線パターンがそれぞれ色違いであることを特徴とする印刷物と、印刷物の万線パターンと同一ピッチのフィルムを複数種の不可視画像に重ね合わせることにより潜像部を可視画像化されたものがある（例えば、特許文献４参照）。
【００１０】
また、海外の線位相変調（Line phase modulation）を用いた印刷物には、ユラ社（ハンガリー）のＨＩＴ（Hidden Image Technology）がある（非特許文献１３４１頁参照）。図２９（ａ）に示されたように、一見して均一な濃度を有する平たんな模様の中に、拡大すると図２９（ｂ）に示されたような微細な万線の位相によって不可視画像が施され、印刷物上に専用のシートを重ねると、図２９（ｃ）又は図２９（ｄ）に示されるようにネガポジ状のどちらかに可視画像化されている。なお、図２９（ａ）の印刷物では通常視でも不可視画像が確認できてしまうおそれがあるため、図２９（ｂ）に示されたように、カムフラージュ模様として万線の一部の画線幅を変化させて可視画像を設けている。また、白抜き画線によって可視画像を設けても良い。ただし、このカムフラージュ模様は、専用のシートを重ねて不可視画像を可視画像化した際、カモフラージュ模様も可視画像として同時に発現しているので、不可視画像の発現時の視認性を阻害するという問題がある。
【００１１】
また、一般的に、点位相変調（Dot phase modulation）又は線位相変調（Line phase modulation）により形成された模様は、平たんな形状となっている。
【００１２】
また、画像形成シート上に、単位ブロック内をｍ列ｎ行に等形上分割した各々最小単位ブロックｂ１、ｂ２、ｂ３、ｂ４、・・・を、それぞれ１単位画素ｇ１、ｇ２、ｇ３、ｇ４、・・・とする各々潜像画像Ｇ１、Ｇ２、Ｇ３、Ｇ４、・・・が形成され、その単位画素ｇ１、ｇ２、ｇ３、ｇ４、・・・は、万線本数１本分以上の万線により構成される万線パターンであって、ピッチｐ１、ｐ２、ｐ３、ｐ４、・・・の各々の万線ピッチｐと、角度θ１、θ２、θ３、θ４・・・の各々の万線角度θの万線により構成される、異なる各々の万線パターンのうち、いずれかの万線パターンにより構成された偽造防止用画像形成体であり、１単位画素ｇ１、ｇ２、ｇ３、ｇ４、・・・を構成する万線パターンと、同一の万線ピッチｐ及び万線角度θの万線により構成されるそれぞれ異なる万線パターンを、透明シートに形成した顕像化用の万線シートを重ね合わせることで、潜像画像Ｇ１、Ｇ２、Ｇ３、Ｇ４、・・・を顕像化するようにした偽造防止用画像形成体が提案されている（例えば、特許文献５参照）。
【００１３】
この特許文献５による偽造防止用画像形成体は、各々の単位画素において万線パターンのピッチ及び角度を異ならせることにより、複数の潜像画像を顕像化するものではあるが、可視画像としては、一様な背景模様としか表現できず、更には、潜像画像を顕像化するために、その潜像画像を構成する単位画素の万線パターンに合ったピッチ及び角度を要する透明シートが必要となり、複数の判別具を用意しなければならないという問題があった。
【００１４】
また、本願発明者らは、中心を境に対向するように配置されたネガポジの関係にある二つの画線による第１の画線要素が、一定の方向に沿って規則的に一定ピッチで複数配置された第１の不可視画像要素と、同様の構成により配置された第２の不可視画像要素とが交互に複数配列されており、各画線の一部の画線に重複する位置に可視画像を構成する画線が配置され、目視では可視画像のみが確認でき、判別具を重ねると、第１の画線要素により第１の不可視画像のポジ画像又はネガ画像が形成され、第２の画線要素により第２の不可視画像のネガ画像又はポジ画像が形成されていることを特徴とする偽造防止用印刷物を既に出願している（例えば、特許文献６参照）。
【００１５】
この特許文献６による偽造防止用印刷物は、通常の観察において可視画像を設けることが可能で豊かなデザイン性を有するという優れた効果があるものの、判別具を重ねて不可視画像が可視画像となって現れる際に、可視画像と潜像模様が若干混ざり合って視認されるため、画像のスイッチ性に課題が残されていた。
【先行技術文献】
【特許文献】
【００１６】
【特許文献１】特許第４１３２１２２号公報
【特許文献２】特許第４０１３４５０号公報
【特許文献３】特開２００８−２０７３３５号公報
【特許文献４】特開２００４−１７４９９７号公報
【特許文献５】特開２００７−０１５１２０号公報
【特許文献６】特願２００７−２９５１４６号公報
【非特許文献】
【００１７】
【非特許文献１】Optical Security and Counterfeit Deterrence Techniques IV Vol.4677 (by SPIE-The International Society for Optical Engineering )
【発明の開示】
【発明が解決しようとする課題】
【００１８】
上述した特許文献１乃至５及び非特許文献の技術では、潜像模様が平たんな濃度を有する印刷画線から成るため、鮮明に発現可能な不可視画像を形成することができなかった。
【００１９】
また、何らかの可視画像を設けたとしても、特許文献２に記載された偽造防止用印刷物のように単純な白抜き画線から成るため、不可視画像を発現させたときの視認性を阻害するという問題があった。さらに、特許文献５に記載された印刷物のように複数の判別具を必要とするものもあった。また、さらに、何らかの可視画像を設けたとしても、特許文献６に記載された偽造防止用印刷物のように可視画像と潜像模様が若干混ざり合って視認されるため、画像のスイッチが不十分であり画像の視認性に課題が残されていた。
【課題を解決するための手段】
【００２０】
本発明の偽造防止用印刷物は、基材に、所定の面積を有するユニットが複数配置され、前述のユニットは、第１の方向に沿って潜像領域と可視画像領域とが交互に少なくとも二組配置され、各々のユニットの少なくとも二組の潜像領域の一方は、第１の画線領域と第４の画線領域を有し、他方の潜像領域は、第２の画線領域と第４の画線領域を有し、可視画像領域は、ユニットの長手方向に対する一方の端部から他方の端部にわたって配置された第３の画線領域を有し、各々のユニット内における潜像領域は、第１の画線領域及び第２の画線領域をオン、オフの関係として、いずれか一方の画線が形成された場合、他方の画線は形成されない関係とするユニットとするか、又は第１の画線及び第２の画線の双方を形成しないユニットとして形成され、第１の画線及び第２の画線は面積が同一であり、第１の画線により第１の不可視画像のポジ画像又はネガ画像のいずれか一方が形成され、第２の画線により第１の不可視画像のネガ画像又はポジ画像の他方が形成され、第１の方向に沿って隣接する２つ又は３つのユニット間において、近接する第１の画線又は第２の画線までの距離が所定の距離以上に離れて配置された場合に、近接する第１の画線又は第２の画線に挟まれた第１の画線領域に隣接した第４の画線領域又は第２の画線領域に隣接する第４の画線領域に、第１の画線及び第２の画線における半分の画線面積で、かつ、同色である第４の画線が形成され、第３の画線領域内に第３の画線が形成されることで可視画像が形成された偽造防止用印刷物であることを特徴としている。
【００２１】
また、本発明の偽造防止用印刷物は、第１の画線、第２の画線、第３の画線及び第４の画線が光輝性材料を含むインキで印刷され、第１の画線、第２の画線、第３の画線及び第４の画線の少なくとも一部の画線上に、無色透明材料を用いてベタ刷りにより所望の模様が形成された偽造防止用印刷物であることを特徴としている。
【００２２】
また、本発明の偽造防止用印刷物は、基材に、所定の面積を有するユニットが複数配置され、前述のユニットは、第１の方向に沿って潜像領域と可視画像領域とが交互に少なくとも四組配置され、各々のユニット内の少なくとも四組の潜像領域は、第１の不可視画像を形成する少なくとも二組の潜像領域で形成された第１の潜像領域と、第２の不可視画像を形成する少なくとも二組の潜像領域で形成された第２の潜像領域を有し、第１の潜像領域の少なくとも二組の潜像領域における一方は、第１の画線領域及び第４の画線領域を有し、他方は、第２の画線領域及び第４の画線領域を有し、第２の潜像領域の少なくとも二組の潜像領域における一方は、第５の画線領域と第７の画線領域を有し、他方は、第６の画線領域と第７の画線領域を有し、可視画像領域は、ユニットの長手方向に対する一方の端部から他方の端部にわたって配置された第３の画線領域を有し、各々のユニット内における第１の潜像領域は、第１の画線領域及び第２の画線領域をオン、オフの関係として、いずれか一方の画線が形成された場合、他方の画線は形成されない関係とするユニットとするか、又は第１の画線及び第２の画線の双方を形成しないユニットとして形成され、各々のユニット内における第２の潜像領域は、第５の画線領域及び第６の画線領域をオン、オフの関係として、いずれか一方の画線が形成された場合、他方の画線は形成されない関係とするユニットとするか、又は第５の画線及び第６の画線の双方を形成しないユニットとして形成され、第１の画線及び第２の画線は面積が同一であり、第５の画線及び第６の画線は面積が同一であり、第１の画線により第１の不可視画像のポジ画像又はネガ画像のいずれか一方が形成され、第２の画線により第１の不可視画像のネガ画像又はポジ画像の他方が形成され、第５の画線により第２の不可視画像のポジ画像又はネガ画像のいずれか一方が形成され、第６の画線により第２の不可視画像のネガ画像又はポジ画像の他方が形成され、第１の方向に沿って隣接する２つ又は３つのユニット間において、近接する第１の画線又は第２の画線までの距離が所定の距離以上に離れて配置された場合に、近接する第１の画線又は第２の画線に挟まれた第１の画線領域に隣接した第４の画線領域又は第２の画線領域に隣接する第４の画線領域に、第１の画線及び第２の画線における半分の画線面積で、かつ、同色である第４の画線が形成され、第１の方向に沿って隣接する２つ又は３つのユニット間において、近接する第５の画線又は第６の画線までの距離が所定の距離以上に離れて配置された場合に、近接する第５の画線又は第６の画線に挟まれた第５の画線領域に隣接した第７の画線領域又は第６の画線領域に隣接する第７の画線領域に、第５の画線及び第６の画線における半分の画線面積で、かつ、同色である第７の画線が形成され、第３の画線領域内に第３の画線が形成されることで可視画像が形成された偽造防止用印刷物であることを特徴としている。
【００２３】
また、本発明の偽造防止用印刷物は、第１の画線、第２の画線、第３の画線、第４の画線、第５の画線、第６の画線及び第７の画線は、光輝性材料を含むインキで印刷され、第１の画線、第２の画線、第３の画線、第４の画線、第５の画線、第６の画線及び第７の画線の少なくとも一部の画線上に、無色透明材料を用いてベタ刷りにより所望の模様が形成された偽造防止用印刷物であることを特徴としている。
【００２４】
また、本発明の偽造防止用印刷物における所定の距離は、第１の方向に沿って隣接する２つのユニットに配置された一方の第１の画線領域から他方の第１の画線領域までの距離の偽造防止用印刷物であることを特徴としている。
【００２５】
また、本発明の偽造防止用印刷物における第３の画線は、画線の大小、画線の濃淡及び画線の疎密から選択される少なくとも一つの方法によって連続階調から成る可視画像が形成された偽造防止用印刷物であることを特徴としている。
【００２６】
また、本発明の偽造防止用印刷物における第３の画線は、少なくとも二色以上の画線を含む偽造防止用印刷物であることを特徴としている。
【００２７】
また、本発明の偽造防止用印刷物は、ユニットにおける一辺の長さが１ｍｍ以下である偽造防止印刷物であることを特徴としている。
【００２８】
また、本発明の偽造防止用印刷物における第１の画線、第２の画線及び第４の画線と、第５の画線、第６の画線及び第７の画線とは、色相が異なる偽造防止用印刷物であることを特徴としている。
【発明の効果】
【００２９】
本発明の偽造防止用印刷物は、従来のような平たんな印刷模様ではなく、第３の画線によって可視画像を設けることができ、これらの可視画像から成る自由度の高い有価証券に特有な高級感のある美麗な意匠を表現することができるという効果を奏する。
【００３０】
また、本発明の偽造防止用印刷物における印刷模様に備える意匠性を有する可視画像は、単色の模様の他、連続階調画像、フルカラー画像及びレインボー効果等、さまざまな美麗の表現が可能であり、不可視画像の発現時において視認性を阻害することはなく、印刷物に判別具を重ね合わせることによって、不可視画像が容易に、かつ、鮮明に可視画像へとスイッチして発現するという効果を奏する。
【００３１】
さらに、本発明の偽造防止用印刷物は、画線の形状及び配置によって偽造防止効果をもたらすことが可能であることから、コストパフォーマンスに優れ、製版及び印刷方法も何ら限定されないため、印刷方式にも自由度があるという効果を奏する。
【図面の簡単な説明】
【００３２】
【図１】印刷物１に判別具２を重ね合わせることにより、容易に不可視画像を発現させて真偽を判別する斜視図。
【図２】印刷物１の印刷模様３を通常の可視条件において目視により観察した正面図。
【図３】判別具２が印刷模様３と重なる位置の違いによって不可視画像５のポジ又はネガ状態か、又は不可視画像６のポジ又はネガ状態として視認された状態が示された図。
【図４】実施の形態１におけるユニットの一例を簡易的に示した模式図。
【図５】肉眼視では濃度が不均衡になるのを緩和するための、画線の削除並びに追加を実行するアルゴリズムを示したフローチャート。
【図６】図５のアルゴリズムに従って、ユニット［ｖ］の画線Ａ’［ｖ］が削除された状態を示した図。
【図７】図５のアルゴリズムに従って、画線Ａ、画線Ａ’の半分又は略半分の画線面積を有する画線ａ及び画線Ｅが追加された状態を示した図。
【図８】レンチキュラーレンズの特性によって中心線７に位置する画線Ａが膨張して可視画像が発現する状態を示す説明図。
【図９】実施の形態２におけるユニットの一例を簡易的に示した模式図。
【図１０】肉眼視では濃度が不均衡になるのを緩和するための、画線の削除並びに追加を実行するアルゴリズムを示したフローチャート。
【図１１】図５及び図１０のアルゴリズムに従って、ユニット［ｖ］の画線Ａ’［ｖ］並びに画線Ｂ’［ｖ］が削除された状態を示した図。
【図１２】図５及び図１０のアルゴリズムに従って、画線Ａ、画線Ａ’、画線Ｂ又は画線Ｂ’の半分又は略半分の画線面積を有する画線ａ、画線ｂ及び画線Ｅが追加された状態を示した図。
【図１３】レンチキュラーレンズの特性によって中心線７に位置する画線Ａが膨張して可視画像が発現する状態を示す説明図。
【図１４】レンチキュラーレンズの特性によって中心線７に位置する画線Ｂが膨張して可視画像が発現する状態を示す説明図。
【図１５】画線Ｃにおける画線要素の分割を示す説明図。
【図１６】マトリックス状に配置された所定の位置における画線Ｃの有無によって、図２に示された模様４が構成されることを示す説明図。
【図１７】模様４を図１５（ｂ）に示されたユニットにおける画線ｃ１と画線ｃ２とで構成し、マトリックス状に配置されることを示す説明図。
【図１８】レンチキュラーレンズにおける各レンズの中心線７が画線ｃ２の中心、すなわち、図１５（ｂ）における線Ｌ６に一致するように載置されることを示す説明図。
【図１９】レンチキュラーレンズにおける各レンズの中心線７が画線ｃ１の中心、すなわち、図１５（ｂ）における線Ｌ５に一致するように載置されることを示す説明図。
【図２０】模様４を図１５（ｃ）に示された画線ｃ３、画線ｃ４及び画線ｃ５がそれぞれ異なる色で配色されたユニットで構成し、マトリックス状に配置されることを示す説明図。
【図２１】レンチキュラーレンズの重なり具合によって、模様４が虹色に発現していることを示す説明図。
【図２２】レンチキュラーレンズの重なり具合によって、模様４が虹色に発現させ、かつ模様４の背景が模様４の虹色と逆順の色配置から成る虹色で発現していることを示す説明図。
【図２３】画線Ｃの画線面積率がそれぞれ異なることによって、ハイライト部、中間調部、シャドー部を構成されるユニットが示された説明図。
【図２４】画線Ｃの画線濃度が段階的に異なることによって、ハイライト部、中間調部、シャドー部を構成されるユニットが示された説明図。
【図２５】模様４が連続階調で表現されていることを示す説明図。
【図２６】拡散光領域で印刷物１を目視で観察した場合と、正反射光領域で印刷物１を目視で観察した場合とを示す説明図。
【図２７】印刷物１を拡散光領域と正反射光領域とで観察したときのそれぞれの照明光源９と視点１０と印刷物１の三つの位置関係を示す説明図。
【図２８】従来の印刷物の一例を示した説明図。
【図２９】従来の印刷物の一例を示した説明図。
【発明を実施するための最良の形態】
【００３３】
以下、本発明の実施の形態１〜２による偽造防止用印刷物について、図面を用いて説明する。しかし、本発明は、以下に述べる実施の形態１〜２に限定されるものではなく、特許請求の範囲に記載された技術的思想の範囲内であれば、その他のいろいろな実施の形態が含まれる。
【００３４】
本発明の実施の形態１〜２による偽造防止用印刷物は、図１に示されたように、印刷物１に判別具２を重ね合わせることにより、容易に不可視画像を発現させて真偽性を判別することができるものである。判別具２は、透明性を有するフィルタに複数の直線が万線状に一方向に沿って形成された万線フィルタ又はレンチキュラーレンズ等である。
【００３５】
図１に示されたように、印刷物１の印刷模様３を通常の可視条件において目視により観察すると、図２に示されたように、任意の図形及び文字等から成る模様４が視認される。そして、印刷物１上に判別具２を所定の角度（これを０度とする。）を持って重ね合わせると、図３（ａ）に示されたような第１の不可視画像５が可視画像となって発現される。この際、万線フィルタ又はレンチキュラーレンズ等の判別具２が印刷模様３と重なる位置の違いによって、不可視画像５はポジ又はネガ状態に視認される。ネガ又はポジ状のどちらかに見えるのは、判別具２と印刷物１との間の相対的な位置によって生ずるものであり、本発明の効果の範囲内である。
【００３６】
（１）実施の形態１
本発明の実施の形態１による偽造防止用印刷物について説明する。
図４は、本実施の形態１における印刷物に対する印刷模様の一画線の構成における部分的な拡大と、印刷物に印刷された印刷模様３を構成するマトリクス状に配置された構成が解るように簡易的に示した模式図である。ここで、縦の寸法Ｓｖは、例えば、３４０μｍというように１ｍｍ以下の大きさである。図４の画線は、ユニットと称する最小単位であり、画線Ａと画線Ａ’とで構成されている。この図４の画線が、印刷物の表面上においてマトリクス状に規則的に配置される。画線Ａと画線Ａ’とは、対を成しており、相互にオンオフの関係にある。このオンオフの関係とは、例えば、一方が黒（オン）のときは他方は白（オフ）、一方が有着色のときは他方は無着色であり、基本的には双方ともに黒又は双方ともに白であることがないということである。そして、画線Ａと画線Ａ’とは、面積が同一である。このような画線Ａと画線Ａ’とが存在することで通常の可視条件下では視認されず、画線Ａのみにより不可視画像（ネガ又はポジ）、画線Ａ’のみにより不可視画像（ポジ又はネガ）がそれぞれ形成されている。なお、本発明でいう面積が同一とは、画線面積率が略同一であるものを含むものである。
【００３７】
また、図４に示された画線Ｃは、画線Ａ及び画線Ａ’と面積が同一又は大きく、この画線Ｃにより可視画像（デザイン：模様）を形成し、図２に示されたような任意の図形及び文字から成る模様４を構成する画線となり、画線Ｃは画線Ａと画線Ａ’とに挟まれるように配置されている。さらに、図４に示された画線Ｃは、ユニット横方向を長手方向とし、寸法Ｓｈを最大幅とする長方形である。すなわち、ユニットの近傍部によって画線Ｃを備えた領域が横一直線状に連結されているものである。
【００３８】
図２に示された印刷物１の印刷模様３は、図４に示されたユニットが縦ステップ数ｖと横ステップ数ｈをもってマトリクス状に縦横隙間なく、連続的に、かつ、規則的に配置されたものである。なお、本実施の形態でいうステップ数とは、印刷模様３上で繰り返されるユニットの数のことを指すもので、ステップ数に何ら制限はなく、このステップ数によって可視画像及び不可視画像の解像度と比例している。また、画線Ａ及び画線Ａ’が横方向に並ぶことによって、画線Ａ群から成る平行万線及び画線Ａ’群から成る平行万線が形成される。すなわち、図４は、線位相変調（Line phase modulation）によって、不可視画像を施している状態となっているものである。しかし、この状態では肉眼視で、複数の画線Ａと複数の画線Ａ’とがマトリクス状に配置されたユニットの近傍部にて画線Ａと画線Ａ’の双方がオン（有着色）になることで濃度が高く（濃く）見えたり、また、複数の画線Ａと複数の画線Ａ’とがマトリクス状に配置されたユニットの近傍部にて画線Ａと画線Ａ’の双方がオフ（無着色）になることで濃度が低く（淡く）見えたりして、肉眼視では濃度が不均衡となって見えることもある。
【００３９】
この、濃度が不均衡に見えるのを緩和するため、図４に示された画線Ｅ及び画線ａを、それぞれ画線Ｃに挟まれるように配置している。図４に示された画線ａ及び画線Ｅは、画線Ａ又は画線Ａ’に対してユニット横方向において寸法Ｓｈの半分の長をもってずれて配置されている。画線ａは、画線Ａに対してユニット縦方向上に配列し、マトリクス状に配置されたユニットの近傍部にて画線Ａ’と画線Ａ’とに挟まれるように配置されている。一方、画線Ｅは、画線Ａ’に対してユニット縦方向上に配列し、マトリクス状に配置されたユニットの近傍部にて画線Ａと画線Ａとに挟まれるように配置されている。これにより、第１及び第２の不可視画像用の画線と濃度の不均衡を緩和するための画線がユニット横方向において横一直線状に連結されているものである。
【００４０】
図５に示されたアルゴリズムによって最小単位であるユニット［ｖ］ごとに、画線の削除並びに追加を実行するものである。なお、［ｖ］はユニットを縦上から数えたステップ数である。まず、処理ｆ１にて、マトリクス状に配置した列ごとのユニット［ｖ］において順次画線Ａ［ｖ］及び画線Ａ’［ｖ］の検知が行われる。なお、画線Ａ［ｖ］及び画線Ａ’［ｖ］を検知する方法は、例えば、印刷模様３がビットマップ形式の２値画像の場合、処理すべきユニット内において、一般的にラベリングと呼ばれる処理によって、画線Ａ［ｖ］又は画線Ａ’［ｖ］を識別しても良い。
【００４１】
次に、処理ｆ２にて、ユニット［ｖ］に画線Ａ’［ｖ］を有し、かつ、ユニット［ｖ＋１］に画線Ａ［ｖ＋１］を有する条件に一致したとき、処理ｆ３にて、ユニット［ｖ］における本来配置される位置である画線Ａ’［ｖ］の削除が行われる。すなわち、図６（ａ）に示されるように、ユニット［ｖ］、ユニット［ｖ＋１］、ユニット［ｖ＋２］の配置の際、ユニット［ｖ］の画線Ａ’［ｖ］とユニット［ｖ＋１］の画線Ａ［ｖ＋１］が隣接している場合、図６（ｂ）に示されるように、ユニット［ｖ］の画線Ａ’［ｖ］が削除される。また、処理ｆ２の条件に一致しない場合は処理４に移行する。
【００４２】
次に、処理ｆ４にて、ユニット［ｖ］に画線Ａ［ｖ］を有し、かつ、ユニット［ｖ＋１］に画線Ａ’［ｖ＋１］を有する条件に一致したとき、処理ｆ５にて、ユニット［ｖ］における画線ａ［ｖ］の追加を行う。すなわち、図７（ｂ）に示されるように、ユニット［ｖ］とユニット［ｖ＋１］の中間に、画線Ａ又は画線Ａ’の半分の画線面積を有する画線ａが追加される。これにより、ユニット［ｖ］とユニット［ｖ＋１］間における肉眼視での濃度の不均衡が緩和される。なお、本発明でいう半分の画線面積とは、略半分の画線面積を含むものである。
【００４３】
次に、処理ｆ６にて、ユニット［ｖ］に画線Ａ’［ｖ］を有し、ユニット［ｖ＋１］に画線がなく、かつ、ユニット［ｖ＋２］に画線Ａ［ｖ＋２］を有する条件に一致したとき、処理ｆ７にて、ユニット［ｖ＋１］における画線Ｅ［ｖ＋１］の追加を行う。すなわち、図７（ｃ）に示されるように、ユニット［ｖ＋１］の画線Ａ［ｖ＋１］が配置される位置に隣接する領域に、画線Ａ又は画線Ａ’の半分の画線面積を有する画線Ｅが追加される。これにより、ユニット［ｖ］とユニット［ｖ＋２］間における肉眼視での濃度の不均衡が緩和される。
【００４４】
次に、処理ｆ８にて、ユニット［ｖ］に画線Ａ’［ｖ］を有し、ユニット［ｖ＋１］に画線がなく、かつ、ユニット［ｖ＋２］に画線Ａ’［ｖ＋２］を有する条件に一致したとき、処理ｆ９にて、ユニット［ｖ＋１］における画線Ｅ［ｖ＋１］及び画線ａ［ｖ＋１］の追加を行う。すなわち、図７（ｄ）に示されるように、ユニット［ｖ＋１］の画線Ａ［ｖ＋１］が配置される領域に隣接する位置に、画線Ａ又は画線Ａ’の半分の画線面積を有する画線Ｅが追加され、ユニット［ｖ＋１］の画線Ａ’［ｖ＋１］が配置される領域に隣接する位置に、画線Ａ又は画線Ａ’の半分の画線面積を有する画線ａが追加される。これにより、ユニット［ｖ］とユニット［ｖ＋２］間における肉眼視での濃度の不均衡が緩和される。
【００４５】
この状態で、例えば、レンチキュラーレンズから成る判別具２を印刷物１上の印刷模様３に重ね合わせ、正面から目視で観察することによって、印刷模様３に施されている不可視画像を可視画像として発現させることができる。なお、本実施の形態１では、寸法Ｓｖが３４０μｍで、印刷模様３がオフセット印刷によりコート紙に印刷されている。しかし、寸法Ｓｖ、印刷物の基材、印刷方法、印刷材料及び印刷装置等について何ら限定するものでない。
【００４６】
図８（ａ）に示されたように、印刷物上の所定の位置に、判別具２であるレンチキュラーレンズにおける各レンズの中心線７が画線Ａの中心、すなわち、図４における線Ｌ１に一致するように載置する。この場合、図８（ｂ）に示されたようにレンチキュラーレンズの作用によって画線Ａが拡大された状態となるため、画線Ａにより構成されている画像（模様）を確認することができることとなる。その際、可視画像を構成していた画線Ｃは、レンチキュラーレンズの各レンズの中心線７と一致せず、判別具２の真上から視認されることはない。これにより、図２に示された模様４が図３（ａ）に示されたような第１の不可視画像５へとスイッチすることとなる。また、画線Ａ’が拡大されるように、縦軸方向に沿って判別具２の各レンズの中心線７が、図５における線Ｌ２と一致するように移動させた場合、画線Ａにより視認された第１の不可視画像がネガポジ反転して視認される。
【００４７】
（２）実施の形態２
次に、本発明の実施の形態２による偽造防止用印刷物について説明する。実施の形態１では、第１の不可視画像が発現する例であるが、実施の形態２では、第１の不可視画像と第２の不可視画像とによる２つの不可視画像が発現する例を説明するものである。
【００４８】
図９は、本実施の形態１における印刷物に対する印刷模様の一画線の構成における部分的な拡大と、印刷物に印刷された印刷模様３を構成するマトリクス状に配置された構成が解るように簡易的に示した模式図である。ここで、縦の寸法Ｓｖは、例えば、３４０μｍというように１ｍｍ以下の大きさである。図９の画線は、ユニットと称する最小単位であり、画線Ａと画線Ａ’及び画線Ｂと画線Ｂ’により、不可視画像が構成されている。この図９に示す画線が、印刷物の表面上においてマトリクス状に規則的に配置される。画線Ａと画線Ａ’とは、対を成しており、相互にオンオフの関係にある。一方、画線Ｂと画線Ｂ’とは、対を成しており、相互にオンオフの関係にある。そして、画線と画線Ａ’とは、面積が同一であり、かつ、画線Ｂと画線Ｂ’とは、面積が同一である。このような画線Ａと画線Ａ’、画線Ｂと画線Ｂ’とが存在することで通常の可視条件下では視認されず、画線Ａのみにより不可視画像（ネガ又はポジ）、画線Ａ’のみにより不可視画像（ポジ又はネガ）がそれぞれ形成され、さらに、画線Ｂのみにより不可視画像（ネガ又はポジ）、画線Ｂ’のみにより不可視画像（ポジ又はネガ）がそれぞれ形成されている。
【００４９】
また、実施の形態１と同様に、図９に示された画線Ｃにより可視画像（デザイン：模様）を形成し、図２に示されたような任意の図形及び文字から成る模様４を構成する画線となり、画線Ｃがユニットの縦方向に画線Ａと画線Ｂに挟まれるように配置されている領域と、画線Ｃがユニットの縦方向に画線Ｂと画線Ａ’に挟まれるように配置されている領域と、画線Ｃがユニットの縦方向に画線Ａ’と画線Ｂ’に挟まれるように配置されている領域と、マトリクス状に配置されたユニットの近傍部にて画線Ｃがユニットの縦方向に画線Ｂ’と画線Ａに挟まれるように配置されている領域とによって構成されている。さらに、図９に示された画線Ｃは、ユニット横方向を長手方向とし、寸法Ｓｈを最大幅とする長方形である。すなわち、ユニットの近傍部によって画線Ｃを備えた領域が横一直線状に連結されているものである。
【００５０】
図２に示された印刷物１の印刷模様３は、図９に示されたユニットが縦ステップ数ｖと横ステップ数ｈをもってマトリクス状に縦横隙間なく、連続的に、かつ、規則的に配置されたものである。なお、本実施の形態でいうステップ数とは、印刷模様３上で繰り返されるユニットの数のことを指すもので、ステップ数に何ら制限はなく、このステップ数によって可視画像及び不可視画像の解像度と比例している。また、画線Ａ及び画線Ａ’が横方向に並ぶことによって、画線Ａ群から成る平行万線及び画線Ａ’群から成る平行万線が形成される。すなわち、図９は、線位相変調（Line phase modulation）によって、不可視画像を施している状態となっているものである。しかし、この状態では、肉眼視で複数の画線Ａと複数の画線Ａ’とがマトリクス状に配置されたユニットの近傍部にて画線Ａと画線Ａ’又は画線Ｂと画線Ｂ’の双方がオン（有着色）になることで濃度が高く（濃く）見えたり、また、複数の画線Ａと複数の画線Ａ’又は複数の画線Ｂと複数の画線Ｂ’とがマトリクス状に配置されたユニットの近傍部にて画線Ａと画線Ａ’又は画線Ｂと画線Ｂ’の双方がオフ（無着色）になることで濃度が低く（淡く）見えることで、肉眼視では、濃度が不均衡となって見えることもある。
【００５１】
この濃度が不均衡に見える状態を緩和するため、図９に示された画線ａ、画線ｂ及び画線Ｅを、それぞれ画線Ｃに挟まれるように配置している。図９に示された画線ａ、画線ｂ及び画線Ｅは、肉眼視での濃度の不均衡を緩和するために設けられている。画線Ａと画線Ｂ又は画線Ａ’と画線Ｂ’は、ユニット横方向において、寸法Ｓｈの半分の長さをもって、ずれて配置されている。画線ａは、画線Ａに対してユニット縦方向上に配列し、ユニット内における画線Ｂ’と画線Ｂ’とに挟まれるように配置するか、又はマトリクス状に配置されたユニットの近傍部にて画線Ｂ’と画線Ｂ’とに挟まれるように配置されている。一方、画線ｂは、画線Ｂに対してユニット縦方向上に配列し、ユニット内における画線Ａと画線Ａとに挟まれるように配置するか、又はマトリクス状に配置されたユニットの近傍部にて画線Ａ’と画線Ａ’とに挟まれるように配置されている。これにより、第１及び第２の不可視画像用の画線と濃度の不均衡を緩和するための画線が、ユニット横方向において横一直線状に連結されているものである。
【００５２】
図５に示されたアルゴリズムによって最小単位であるユニット［ｖ］ごとに、画線の削除並びに追加を実行するものである。なお、［ｖ］はユニットを縦上から数えたステップ数である。まず、処理ｆ１にて、マトリクス状に配置した列ごとのユニット［ｖ］において、順次画線Ａ［ｖ］及び画線Ａ’［ｖ］の検知が行われる。なお、画線Ａ［ｖ］及び画線Ａ’［ｖ］を検知する方法は、例えば、印刷模様３がビットマップ形式の２値画像の場合、処理すべきユニット内において、一般的にラベリングと呼ばれる処理によって、画線Ａ［ｖ］又は画線Ａ’［ｖ］を識別しても良い。
【００５３】
次に、処理ｆ２にて、ユニット［ｖ］に画線Ａ’［ｖ］を有し、かつ、ユニット［ｖ＋１］に画線Ａ［ｖ＋１］を有する条件に一致したとき、処理ｆ３にて、ユニット［ｖ］における本来配置される位置である画線Ａ’［ｖ］の削除が行われる。すなわち、図１１（ａ）に示されるように、ユニット［ｖ］、ユニット［ｖ＋１］、ユニット［ｖ＋２］の配置の際、ユニット［ｖ］の画線Ａ’［ｖ］とユニット［ｖ＋１］の画線Ａ［ｖ＋１］が隣接している場合、図１１（ｂ）に示されるように、ユニット［ｖ］の画線Ａ’［ｖ］が削除される。また、処理ｆ２の条件に一致しない場合は処理４に移行する。
【００５４】
次に、処理ｆ４にて、ユニット［ｖ］に画線Ａ［ｖ］を有し、かつ、ユニット［ｖ＋１］に画線Ａ’［ｖ］を有する条件に一致したとき、処理ｆ５にて、ユニット［ｖ］における画線ａ［ｖ］の追加を行う。すなわち、図１２（ｂ）に示されるように、ユニット［ｖ］の画線Ａとユニット［ｖ＋１］の画線Ａ’の中間に、画線Ａ又は画線Ａ’の半分の画線面積を有する画線ａが追加される。これにより、ユニット［ｖ］とユニット［ｖ＋１］間における肉眼視での濃度の不均衡が緩和される。
【００５５】
次に、処理ｆ６にて、ユニット［ｖ］に画線Ａ’［ｖ］を有し、ユニット［ｖ＋１］に画線がなく、かつ、ユニット［ｖ＋２］に画線Ａ［ｖ＋２］を有する条件に一致したとき、処理ｆ７にて、ユニット［ｖ＋１］における画線Ｅ［ｖ＋１］の追加を行う。すなわち、図１２（ｃ）に示されるように、ユニット［ｖ］の画線Ａ［ｖ］とユニット［ｖ＋２］の画線Ａの中心に、画線Ａ又は画線Ａ’の半分の画線面積を有する画線Ｅが追加される。これにより、ユニット［ｖ］とユニット［ｖ＋２］間における肉眼視での濃度の不均衡が緩和される。
【００５６】
次に、処理ｆ８にて、ユニット［ｖ］に画線Ａ’［ｖ］を有し、ユニット［ｖ＋１］に画線がなく、かつ、ユニット［ｖ＋２］に画線Ａ’［ｖ＋２］を有する条件に一致したとき、処理ｆ９にて、ユニット［ｖ＋１］における画線Ｅ［ｖ＋１］及び画線ａ［ｖ＋１］の追加を行う。すなわち、図１２（ｄ）に示されるように、ユニット［ｖ＋１］に、画線Ａ又は画線Ａ’の半分の画線面積を有する画線Ｅ及び画線ａが追加される。これにより、ユニット［ｖ］とユニット［ｖ＋２］間における肉眼視での濃度の不均衡が緩和される。
【００５７】
一方、図１０に示されたアルゴリズムによって最小単位であるユニット［ｖ］ごとに、画線の削除並びに追加を実行するものである。なお、［ｖ］はユニットを縦上から数えたステップ数である。まず、処理ｆ１１にて、マトリクス状に配置した列ごとのユニット［ｖ］において順次画線Ｂ［ｖ］及び画線Ｂ’［ｖ］の検知が行われる。なお、画線Ｂ［ｖ］及び画線Ｂ’［ｖ］を検知する方法は、例えば、印刷模様３がビットマップ形式の２値画像の場合、処理すべきユニット内において、一般的にラベリングと呼ばれる処理によって、画線Ｂ［ｖ］又は画線Ｂ’［ｖ］を識別しても良い。
【００５８】
次に、処理ｆ１２にて、ユニット［ｖ］に画線Ｂ’［ｖ］を有し、かつ、ユニット［ｖ＋１］に画線Ｂ［ｖ＋１］を有する条件に一致したとき、処理ｆ１３にて、ユニット［ｖ］における本来配置される位置である画線Ｂ’［ｖ］の削除が行われる。すなわち、図１１（ｃ）に示されるように、ユニット［ｖ］、ユニット［ｖ＋１］、ユニット［ｖ＋２］の配置の際、ユニット［ｖ］の画線Ｂ’［ｖ］とユニット［ｖ＋１］の画線Ｂ［ｖ＋１］が隣接している場合、図１１（ｄ）に示されるように、ユニット［ｖ］の画線Ｂ’［ｖ］が削除される。
また、処理ｆ１２の条件に一致しない場合は処理４に移行する。
【００５９】
次に、処理ｆ１４にて、ユニット［ｖ］に画線Ｂ［ｖ］を有し、かつ、ユニット［ｖ＋１］に画線Ｂ’［ｖ］を有する条件に一致したとき、処理ｆ１５にて、ユニット［ｖ＋１］における画線ｂ［ｖ＋１］の追加を行う。すなわち、図１２（ｆ）に示されるように、ユニット［ｖ］の画線Ｂ［ｖ］とユニット［ｖ＋１］の画線Ｂ［ｖ＋１］の中間に、画線Ｂ又は画線Ｂ’の半分の画線面積を有する画線ｂが追加される。これにより、ユニット［ｖ］とユニット［ｖ＋１］間における肉眼視での濃度の不均衡が緩和される。
【００６０】
次に、処理ｆ１６にて、ユニット［ｖ］に画線Ｂ’［ｖ］を有し、ユニット［ｖ＋１］に画線がなく、かつ、ユニット［ｖ＋２］に画線Ｂ［ｖ＋２］を有する条件に一致したとき、処理ｆ１７にて、ユニット［ｖ＋１］における画線Ｅ［ｖ＋１］の追加を行う。すなわち、図１２（ｇ）に示されるように、ユニット［ｖ］の画線Ｂ’［ｖ］とユニット［ｖ＋２］の画線Ｂ［ｖ＋２］の中心に、画線Ｂ又は画線Ｂ’の半分の画線面積を有する画線Ｅが追加される。これにより、ユニット［ｖ］とユニット［ｖ＋２］間における肉眼視での濃度の不均衡が緩和される。
【００６１】
次に、処理ｆ１８にて、ユニット［ｖ］に画線Ｂ’［ｖ］を有し、ユニット［ｖ＋１］に画線がなく、かつ、ユニット［ｖ＋２］に画線Ｂ’［ｖ＋２］を有する条件に一致したとき、処理ｆ１９にて、ユニット［ｖ＋１］における画線Ｅ［ｖ＋１］及びユニット［ｖ＋２］における画線ｂ［ｖ＋２］の追加を行う。すなわち、図１２（ｈ）に示されるように、ユニット［ｖ］の画線Ｂ’［ｖ］及びユニット［ｖ＋２］の画線Ｂ’［ｖ＋２］が挟み込む位置に、画線Ｂ又は画線Ｂ’の半分の画線面積を有する画線Ｅ及び画線ｂが追加される。これにより、ユニット［ｖ］とユニット［ｖ＋２］間における肉眼視での濃度の不均衡が緩和される。
【００６２】
この状態で、例えば、レンチキュラーレンズから成る判別具２を印刷物１上の印刷模様３に重ね合わせ、正面から目視で観察することによって、印刷模様３に施されている不可視画像を可視画像として発現させることができる。なお、本実施の形態１では、寸法Ｓｖが３４０μｍで、印刷模様３がオフセット印刷によりコート紙に印刷されている。しかし、寸法Ｓｖ、印刷物の基材、印刷方法、印刷材料及び印刷装置等について何ら限定するものでない。
【００６３】
印刷模様３に、より具体的には、図９における線Ｌ１と各レンズの中心線とが一致するように、レンチキュラーレンズから成る判別具２を印刷物１上の印刷模様３に重ね合わせ、正面から目視で観察した状態を図１３に示す。レンチキュラーレンズの中心線７が図９における線Ｌ１と一致するように図１３（ａ）に示された位置にあるとき、中心線７に位置するのは画線Ａとなっている。レンチキュラーレンズの特性によって中心線７に位置する画線Ａが膨張して見えるため、目視では、図１３（ｂ）に示されたような図形の可視画像が発現する。また、レンチキュラーレンズの中心線７が図９における線Ｌ２と一致した位置にあるとき、中心線７に位置するのは、画線Ａ’となっている。レンチキュラーレンズの特性によって中心線７に位置する画線Ａ’が膨張して見えるため、ネガポジが反転して見える。よって、上述の図３（ａ）に示されたような第１の不可視画像がネガポジ状のどちらかに見える可視画像となって発現する。
【００６４】
次に、図９における線Ｌ３とレンチキュラーレンズの各レンズの中心線が一致するように、印刷模様３に縦軸方向にずらして判別具２を印刷物１上の印刷模様３に重ね合わせ、正面から目視で観察した状態を図１４に示す。この場合、レンチキュラーレンズの中心線７が図１４（ａ）に示された位置にあり、中心線７に位置するのは、画線Ｂとなっている。レンチキュラーレンズの特性によって中心線７に位置する画線Ｂが膨張して見えるため、目視では、図１４（ｂ）に示されたような図形の可視画像が発現する。また、レンチキュラーレンズの中心線７が図９における線Ｌ４と一致した位置にあるとき、中心線７に位置するのは画線Ｂ’となっている。レンチキュラーレンズの特性によって中心線７に位置する画線Ｂ’が膨張して見えるため、ネガポジが反転して見える。つまり、図３（ｂ）に示されたような第２の不可視画像６が、ネガポジ状のどちらかに見える可視画像となって発現するものである。
【００６５】
なお、判別具を用いた第１の不可視画像及び第２の不可視画像を判別する際において、画線ａ、画線ｂ及び画線Ｅで形成される可視画像は、ほとんど見えなくなるか、又は見え難くなる。このため、第１の不可視画像及び第２の不可視画像が可視画像として発現したときに、これらの視認性を阻害することはない。
【００６６】
ここで判別具２は、レンチキュラーレンズにかかわらず、例えば、万線フィルタであっても同様の効果が得られる。この万線フィルタの場合は、フィルタ上の万線に該当する部分が可視画像を構成する画線を隠蔽することで、不可視画像を構成する画線のみを確認することができることとなるが、可視画像を完全には隠蔽することができずに若干視認されてしまうことがある。ただし、これによって本発明の効果を損なうことはないため、簡易的に判別を行うには、万線フィルタを用いても十分である。
【００６７】
（３）実施の形態３
次に、本発明の実施の形態３による偽造防止用印刷物について説明する。実施の形態１では、第１の不可視画像が発現する例を説明し、実施の形態２では第１の不可視画像と第２の不可視画像とによる二つの不可視画像が発現する例を説明したものであれるが、実施の形態３では、実施の形態１及び実施の形態２において、さらに可視化した際の視覚効果を有する例を説明するものである。
【００６８】
前述したように、本発明における画線Ｃは、画線Ａ、画線Ａ’、画線Ｂ又は画線Ｂ’より面積が大きく、この画線Ｃにより可視画像（デザイン：模様）を形成し、図２に示されたような任意の図形及び文字から成る模様４を構成する画線であり、図４又は図９で示された通り、画線Ｃは、ユニット横方向を長手方向とし、寸法Ｓｈを最大幅とする長方形である。すなわち、ユニットの近傍部によって画線Ｃを備えた領域が横一直線状に連結されているものである。図１５は、この画線Ｃにおける画線要素の分割について説明するものである。
【００６９】
例えば、図２で示された任意の図形及び文字等から成る模様４を構成する最も単純な表現方法としては、図１５（ａ）に示されたユニットがマトリックス状に配置された印刷模様３において、図１６で示されたようにマトリックス状に配置された所定の位置における画線Ｃの有無によって、図２に示された模様４が構成される。すなわち、通常の目視で視認した際に、印刷物１から視認することができる可視画像である。また、図１７で示された印刷模様３は、模様４の背景部を図１５（ａ）に示されたユニットにおける画線Ｃで構成し、模様４を図１５（ｂ）に示されたユニットにおける画線ｃ１と画線ｃ２とで構成し、マトリックス状に配置したものである。なお、図１５（ｂ）に示された画線ｃ１と画線ｃ２の横方向の寸法は、それぞれユニット横方向の寸法Ｓｈの約１／２である。
【００７０】
図１７（ａ）に示されたように、印刷物上の所定の位置に、判別具２であるレンチキュラーレンズにおける各レンズの中心線７が画線ｃ１の中心、すなわち、図１５（ｂ）における線Ｌ５に一致するように載置する。この場合、図１７（ｂ）に示されたようにレンチキュラーレンズの作用によって画線ｃ１が拡大された状態となるため、画線ｃ１により構成されている画像（模様）又は色相を確認することができることとなる。その際、不可視画像を構成していた画線Ｂ、画線Ｂ’は、レンチキュラーレンズの各レンズの中心線７と一致せず、また、画線Ａ、画線Ａ’、画線ａ’及び画線Ｅは、不可視画像の発現とは無関係な位置関係を成しているため判別具２の真上から視認されることはない。これにより、図２に示された模様４が現れる（又は画線ｃ１の色相となって表示される。）。
【００７１】
また、図１８（ａ）に示されたように、印刷物上の所定の位置に、判別具２であるレンチキュラーレンズにおける各レンズの中心線７が画線ｃ２の中心、すなわち、図１５（ｂ）における線Ｌ６に一致するように載置する。この場合、図１８（ｂ）に示されたようにレンチキュラーレンズの作用によって画線ｃ２が拡大された状態となるため、画線ｃ２により構成されている画像（模様）又は色相を確認することができることとなる。その際、不可視画像を構成していた画線Ａ、画線Ａ’は、レンチキュラーレンズの各レンズの中心線７と一致せず、また、画線Ｂ、画線Ｂ’、画線ｂ’及び画線Ｅは、不可視画像の発現とは無関係な位置関係を成しているため、判別具２の真上から視認されることはない。これにより、図２に示された模様４が現れる（又は画線ｃ２の色相となって表示される。）。
【００７２】
さらに、図１９は、図１５（ｂ）に示された画線ｃ１と画線ｃ２が、模様４と模様４の背景とで反転している例である。図１９（ａ）に示されたように、印刷物上の所定の位置に、判別具２であるレンチキュラーレンズにおける各レンズの中心線７が画線ｃ１の中心、すなわち、図１５（ｂ）における線Ｌ５に一致するように載置した領域と、中心線７が画線ｃ２の中心、すなわち、図１５（ｂ）における線Ｌ６に一致するように載置した領域とがある。この場合、図１９（ｂ）に示されたようにレンチキュラーレンズの作用によって、線Ｌ５に一致するように載置した領域は画線ｃ１が拡大された状態となり、線Ｌ６に一致するように載置した領域は画線ｃ２が拡大された状態となるため、図２に示された模様４が現れる（又は模様４と模様４の背景とが異なった色相となって現れる。）。また、画線Ａ、画線Ａ’、画線ａ’、画線Ｂ、画線Ｂ’、画線ｂ’及び画線Ｅは、不可視画像の発現とは無関係な位置関係を成しているため、判別具２の真上から視認されることはない。なお、この例では、画線ｃ１と画線ｃ２を備えたユニットと、画線ｃ１と画線ｃ２がユニット横方向で反転していることによって、通常の目視では、模様４を視認することはない。すなわち、模様４を第３の不可視画像とすることも可能としている。
【００７３】
さらに、図１５（ｃ）は、画線Ｃが３分割されたユニットであり、図１５（ｃ）に示された画線ｃ３、画線ｃ４及び画線ｃ５の横方向の寸法は、それぞれユニット横方向の寸法Ｓｈの約１／３である。図２０は、図２に示された模様４を構成する画線が示されたものであり、図１５（ｃ）に示された画線ｃ３、画線ｃ４及び画線ｃ５がそれぞれ異なる色で配色されたユニットで構成し、マトリックス状に配置したものである。図２０（ａ）に示されたように、例えば印刷物上において、判別具２であるレンチキュラーレンズが斜めに重なった際、各レンズの中心線７が画線ｃ３の中心、すなわち、図１５（ｃ）における線Ｌ７に一致するように載置するか、又は各レンズの中心線７が画線ｃ４の中心、すなわち、図１５（ｃ）における線Ｌ８に一致するように載置するか、又は各レンズの中心線７が画線ｃ５の中心、すなわち、図１５（ｃ）における線Ｌ９に一致するように載置する。この場合、図２０（ｂ）に示されたように、レンチキュラーレンズの作用によって画線ｃ３、画線ｃ４及び画線ｃ５のいずれか拡大された状態となるため、画線ｃ３、画線ｃ４及び画線ｃ５で構成されている色相が虹色状に確認することができる。また、画線Ａ、画線Ａ’、画線ａ’、画線Ｂ、画線Ｂ’、画線ｂ’及び画線Ｅは、不可視画像の発現とは無関係な位置関係を成しているため、判別具２の真上から視認されることはない。
【００７４】
また、図１５（ｅ）に示されたユニットは、可視画像（デザイン：模様）を成す画線ｃ１及び画線ｃ２がそれぞれ２分割されたものである。画線ｃ１と画線ｃ１’並びに画線ｃ２と画線ｃ２’を、前述の画線Ａと画線Ａ’並びに画線Ｂと画線Ｂ’と同じく相互にオンオフの関係とすることで、レンチキュラーレンズにおける各レンズの中心線７の位置によって発現する第３の不可視画像又は第４の不可視画像を設けることが可能となる。さらに、図１５（ｆ）に示されたユニットは、可視画像（デザイン：模様）を成す画線ｃ３、画線ｃ４及び画線ｃ５がそれぞれ２分割されたものである。画線ｃ３と画線ｃ３’、画線ｃ４と画線ｃ４’並びに画線ｃ５と画線ｃ５’を、前述の画線Ａと画線Ａ’並びに画線Ｂと画線Ｂ’と同じく相互にオンオフの関係とすることで、レンチキュラーレンズにおける各レンズの中心線７の位置によって発現する第３の不可視画像、第４の不可視画像又は第５の不可視画像を設けることが可能となる。
【００７５】
本実施の形態３によれば、図１５に示されたそれぞれのユニットの組み合わせによって、例えば、図２の模様４を図１５（ｃ）で構成し、模様４の背景を図１５（ａ）で構成した場合、図２１に示されたように、判別具２であるレンチキュラーレンズの重なり具合によって、模様４が虹色に発現させることが可能である。また、例えば、図２の模様４を図１５（ｃ）で構成し、模様４の背景を図１５（ｃ）の画線ｃ３、画線ｃ４、画線ｃ５を横方向で反転して構成で配置した場合、図２２に示されたように、判別具２であるレンチキュラーレンズの重なり具合によって、模様４が虹色に発現させ、かつ、模様４の背景が模様４の虹色と逆順の色配置から成る虹色で発現させることが可能である。これにより、図１５に示されたそれぞれのユニットの組み合わせは、本発明の効果を奏する上で何ら限定するものではない。
【００７６】
本実施の形態によれば、画線Ｃ、画線ｃ１、画線ｃ２、画線ｃ３、画線ｃ４及び画線ｃ５を用いて自由度が高く意匠性を有する鮮明な可視画像を、不可視画像の発現時における視認性を阻害することなく形成することができるため、有価証券等の印刷物においても有用である。また、印刷物上に単一の判別具を重ね合わせることによって、画線Ａ及びＡ’、画線Ｂ及びＢ’で形成される不可視画像を容易とし、かつ、鮮明に発現させることが可能である。さらに、本発明における印刷物を構成する各画線を同一色とした単色印刷のみでも十分な偽造防止効果が得られる上に、製版、印刷方法等について何ら限定しないため、コストを低減させることができる。
【００７７】
（４）実施の形態４
次に、本発明の実施の形態４による偽造防止用印刷物について説明する。前述したように、画線Ｃは、可視画像（デザイン：模様）を形成し、図４又は図９で示された通り、画線Ｃは、ユニット横方向を長手方向とし、寸法Ｓｈを最大幅とする長方形である。すなわち、ユニットの近傍部によって画線Ｃを備えた領域が横一直線状に連結されているものである。マトリックス状に配置されたユニットにおける画線Ｃの画線面積率又は画線濃度が段階的に変わることによって、可視画像を連続階調画像として表現させることが可能になる。
【００７８】
図２３及び図２４は、可視画像を連続階調画像として表現することを可能にする画線Ｃの構成が示されたユニットである。図２３（ａ）〜（ｃ）は、画線Ｃの画線面積率がそれぞれ異なるものであり、図２３（ａ）をハイライト部に用いられるユニット、図２３（ｂ）を中間調部に用いられるユニット、図２３（ｃ）をシャドー部に用いられるユニットにて構成されることによって、図２５に示された模様４のように連続階調で表現することが可能になる。
【００７９】
また、図２４（ａ）〜（ｃ）は、画線Ｃの画線濃度が段階的に異なるものであり、図２４（ａ）をハイライト部に用いられるユニット、図２４（ｂ）を中間調部に用いられるユニット、図２４（ｃ）をシャドー部に用いられるユニットにて構成されることによって、図２５に示された模様４のように連続階調で表現することが可能になる。さらに、図２４に示された画線Ｃは、単色に限らず、例えば、シアン、マゼンタ、イエロー及びブラックの減法混色から成る複数の画線によって構成しても良い。これにより、図２５に示された印刷模様３は、任意の連続階調から成るフルカラーの模様４として表現することができる。
【００８０】
（５）実施の形態５
図２６は、本実施の形態５の偽造防止用印刷物において、印刷模様３を形成するインキに光輝性を含むインキを用いて印刷し、印刷模様３上に無色透明材料を用いてベタ刷りにより所望の模様Ｄ（ここでは、アルファベットのＮ）を印刷したものである。
【００８１】
図２６に示した可視画像を有する偽造防止用印刷物において、図２７は、印刷物１を拡散光領域と正反射光領域とで観察したときのそれぞれの照明光源８と視点９と印刷物１の三つの位置関係を図示したものである。照明光源８と視点９と印刷物１が、図２７（ａ）の位置関係にあるとき、拡散光領域で観察したことになり、照明光源８と視点９と印刷物１が図２７（ｂ）の位置関係にあるとき、正反射光領域で観察したことになる。
【００８２】
図２７（ａ）で示されたように、拡散光領域で印刷物１を目視で観察した場合、印刷模様３上に施された無色透明材料から成る模様Ｄは、完全に透過しているので、光輝性を含むインキから成る印刷模様３が、図２６（ａ）に示されるように視認することができる状態となる。一方、図２７（ｂ）に示されたように、正反射光領域で印刷物１を目視で観察した場合、光輝性を含むインキから成る印刷模様３は、正反射光がもたらす光輝性の作用によって明度が高まり、無色透明材料から成る模様Ｄの部分については、印刷模様３の光輝性の作用が抑制される。これにより、模様Ｄのみが光輝性の違いで図２６（ｂ）に示されるように強調されて視認される。したがって、模様Ｄの配置で構成した「Ｎ」の文字が観察される。
【００８３】
なお、本実施の形態１乃至４の偽造防止用印刷物の印刷模様３を光輝性材料を含む材料で印刷し、その印刷模様３上に無色透明材料、例えば、透明ニス等から成る模様を印刷しても、実施の形態５に示す印刷物と同様の効果を得られる。
【符号の説明】
【００８４】
１          印刷物
２          判別具
３          印刷模様
４          模様
５          不可視画像
６          不可視画像
７          中心線
８          照明光源
９          視点
Ａ          画線
ａ          画線
Ｂ          画線
ｂ          画線
Ｃ          画線
ｃ１          画線
ｃ２          画線
ｃ３          画線
ｃ４          画線
ｃ５          画線
Ｄ          模様
Ｅ          画線
Ｌ１          線
Ｌ２          線
Ｌ３          線
Ｌ４          線
Ｌ５          線
Ｌ６          線
Ｌ７          線
Ｌ８          線
Ｌ９          線
【図１】
0005424266.tif 000002
【図２】
0005424266.tif 000003
【図３】
0005424266.tif 000004
【図４】
0005424266.tif 000005
【図５】
0005424266.tif 000006
【図６】
0005424266.tif 000007
【図７】
0005424266.tif 000008
【図８】
0005424266.tif 000009
【図９】
0005424266.tif 000010
【図１０】
0005424266.tif 000011
【図１１】
0005424266.tif 000012
【図１２】
0005424266.tif 000013
【図１３】
0005424266.tif 000014
【図１４】
0005424266.tif 000015
【図１５】
0005424266.tif 000016
【図１６】
0005424266.tif 000017
【図１７】
0005424266.tif 000018
【図１８】
0005424266.tif 000019
【図１９】
0005424266.tif 000020
【図２０】
0005424266.tif 000021
【図２１】
0005424266.tif 000022
【図２２】
0005424266.tif 000023
【図２３】
0005424266.tif 000024
【図２４】
0005424266.tif 000025
【図２５】
0005424266.tif 000026
【図２６】
0005424266.tif 000027
【図２７】
0005424266.tif 000028
【図２８】
0005424266.tif 000029
【図２９】
0005424266.tif 000030